(57)【要約】【課題】視聴中の映像と音声を途切れさせることなく録画映像の選択および録画の実行を行うことができるようにする。【解決手段】信号発生部１１０から出力された各入力ソースからの映像音声信号は、信号切換部１２０を介して合成部１０３に供給され、表示部１０４の画面に分割表示される。ユーザが操作部１０６を操作して画面に表示された映像の中から所望の映像を選択し、録画を指示すると、いま視聴している映像及び音声はそのままで、マイコン１０１の制御下、信号切換部１２０は、選択された映像に対応する映像音声信号が記録部１０２に供給されるようにスイッチ１２８の接続を切り換え、記録部１０２は、スイッチ１２８を介して供給された映像音声信号を記録する。【選択図】図１
2007053418.tif 000002
【特許請求の範囲】
【請求項１】
複数の映像を所定の表示装置の画面の全表示領域を分割した複数の小画面領域にそれぞれ表示するための合成映像信号を出力する表示制御装置であって、
複数の映像音声信号を発生する信号発生手段と、
各信号発生手段によって発生された各映像音声信号に基づいて、各映像音声信号の映像信号に対応する映像が各小画面領域にそれぞれ分割表示される合成映像信号を生成する合成映像信号生成手段と、
前記合成映像信号生成手段によって生成された前記合成映像信号が前記表示装置に表示されたとき、前記表示装置の画面の各小画面領域に表示された各映像のうちの所定のものを選択する選択手段と、
前記選択手段によって選択された各映像のうちの所定のものに所定の識別マークを合成表示する合成表示手段と、
前記識別マークが合成表示された各映像のうちの所定のものに対応する映像音声信号を出力する出力手段と
を備えることを特徴とする表示制御装置。
【請求項２】
前記出力手段によって出力された前記映像音声信号を記録する記録手段をさらに備える
ことを特徴とする請求項１に記載の表示制御装置。
【請求項３】
前記表示装置をさらに備える
ことを特徴とする請求項１に記載の表示制御装置。
【請求項４】
前記出力手段によって出力された前記映像音声信号を記録する記録手段と、
前記表示装置とをさらに備える
ことを特徴とする請求項１に記載の表示制御装置。
【請求項５】
複数の映像を所定の表示装置の画面の全表示領域を分割した複数の小画面領域にそれぞれ表示するための合成映像信号を出力する表示制御方法であって、
複数の映像音声信号を発生する信号発生ステップと、
各信号発生ステップにおいて発生された各映像音声信号に基づいて、各映像音声信号の映像信号に対応する映像が各小画面領域にそれぞれ分割表示される合成映像信号を生成する合成映像信号生成ステップと、
前記合成映像信号生成ステップにおいて生成された前記合成映像信号が前記表示装置に表示されたとき、前記表示装置の画面の各小画面領域に表示された各映像のうちの所定のものを選択する選択ステップと、
前記選択ステップにおいて選択された各映像のうちの所定のものに所定の識別マークを合成表示する合成表示ステップと、
前記識別マークが合成表示された各映像のうちの所定のものに対応する映像音声信号を出力する出力ステップと
を備えることを特徴とする表示制御方法。
【請求項６】
複数の映像を所定の表示装置の画面の全表示領域を分割した複数の小画面領域にそれぞれ表示するための合成映像信号を出力する表示制御装置を制御する表示制御プログラムであって、
複数の映像音声信号を発生する信号発生ステップと、
各信号発生ステップにおいて発生された各映像音声信号に基づいて、各映像音声信号の映像信号に対応する映像が各小画面領域にそれぞれ分割表示される合成映像信号を生成する合成映像信号生成ステップと、
前記合成映像信号生成ステップにおいて生成された前記合成映像信号が前記表示装置に表示されたとき、前記表示装置の画面の各小画面領域に表示された各映像のうちの所定のものを選択する選択ステップと、
前記選択ステップにおいて選択された各映像のうちの所定のものに所定の識別マークを合成表示する合成表示ステップと、
前記識別マークが合成表示された各映像のうちの所定のものに対応する映像音声信号を出力する出力ステップと
を前記表示制御装置に実行させることを特徴とする表示制御プログラム。
【発明の詳細な説明】
【技術分野】
【０００１】
本発明は表示制御装置に関し、特に、記録すべき所望のチャンネルの映像音声信号を選択するための表示制御装置に関するものである。
【背景技術】
【０００２】
従来、２つの地上アナログチューナ、ＢＳチューナ、およびビデオ入力機能を有し、これらの入力信号のうち、いずれか２つ以上の各映像信号を入力し、入力した各映像信号を画面内に設定した各表示領域に同時に表示する、いわゆるピクチャー・イン・ピクチャー（以下、P in Pと記載する）やピクチャー・アンド・ピクチャー（以下、P and Pと記載する）の機能を備えるテレビジョン受像機がある。
このように、複数の入力ソースからの映像信号を画面に同時に表示することができるテレビジョン受像機では、記録すべき入力ソースの映像を選択する場合、記録したい映像を選択すると、選択した映像が一旦画面全体に表示され、その後、録画実行キーを押下することにより、その映像の記録を行うことができるようになっている。
図６は、画面に表示された複数の映像から所望の映像を選択し、その映像に対応する映像音声信号を記録するときのテレビジョン受像機の従来の画面表示例を示す図である。最初、図６（ａ）に示したように、画面左側の映像には操作画面であることを示す音符マーク２１１が合成表示され、チャンネル８の映像が表示されるとともに、その音声がスピーカから出力されている。この状態で、テレビジョン受像機本体またはリモートコントローラ（以下、リモコンと記載する）に設けられた操作切換キーを押下すると、画面左側の映像上に合成表示されていた音符マーク２１１が消去され、図６（ｂ）に示したように、画面右上段の映像上に音符マーク２１１が合成表示されとともに、音符マーク２１１が合成表示されたチャンネル４の映像に対応する音声が出力される。
さらに、操作切換キーを押下すると、画面右上段の映像に合成表示されていた音符マーク２１１が消去され、図６（ｃ）に示したように、画面右中段の映像上に音符マーク２１１が合成表示されるとともに、音符マーク２１１が合成表示されたチャンネル６の映像に対応する音声が出力される。この状態で、テレビジョン受像機本体またはリモコンに設けられたマルチ画面キーを押下すると、音符マーク２１１が合成表示されていた映像が画面全体に表示される。この例では、チャンネル６の映像が画面全体に表示される。次に、テレビジョン受像機本体またはリモコンに設けられた録画実行キーを押下すると、画面全体に表示されている映像および音声の記録が開始される。この例では、チャンネル６の映像および音声の記録が開始される。
また、複数の映像が同一画面に表示されたときに、音声を所定の映像の音声が出力されている状態から、画面内の他の映像に対応する音声が出力されるように切り換えた場合でも、ユーザに対して音声出力されている映像がわかるように画面上の対応する映像に識別情報が表示されるようにし、どの画面内のどの映像に対応する音声が出力されているか目視により容易に識別できるようにしたものがある（例えば、特許文献１参照）。
【特許文献１】特開平０８−１１６４９９号公報
【発明の開示】
【発明が解決しようとする課題】
【０００３】
しかしながら、従来の画面表示では、録画しようとする映像を選択し、録画を開始するとき、視聴していた映像が一旦画面から消去され、その映像に対応する音声の出力も途切れてしまうため、視聴が妨げられるという問題点があった。
本発明はこのような状況に鑑みてなされたものであり、録画したい映像を選択し、録画を実行させる操作を行っている間も、いま視聴している映像が画面から消去されることなく、また、その映像に対応する音声も途切れることなく出力されるようにするものである。
【課題を解決するための手段】
【０００４】
請求項１に記載の表示制御装置は、複数の映像を所定の表示装置の画面の全表示領域を分割した複数の小画面領域にそれぞれ表示するための合成映像信号を出力する表示制御装置であって、複数の映像音声信号を発生する信号発生手段と、各信号発生手段によって発生された各映像音声信号に基づいて、各映像音声信号の映像信号に対応する映像が各小画面領域にそれぞれ分割表示される合成映像信号を生成する合成映像信号生成手段と、合成映像信号生成手段によって生成された合成映像信号が表示装置に表示されたとき、表示装置の画面の各小画面領域に表示された各映像のうちの所定のものを選択する選択手段と、選択手段によって選択された各映像のうちの所定のものに所定の識別マークを合成表示する合成表示手段と、識別マークが合成表示された各映像のうちの所定のものに対応する映像音声信号を出力する出力手段とを備えることを特徴とする。
また、出力手段によって出力された映像音声信号を記録する記録手段をさらに備えるようにすることができる。
また、表示装置をさらに備えるようにすることができる。
また、出力手段によって出力された映像音声信号を記録する記録手段と、表示装置とをさらに備えるようにすることができる。
請求項５に記載の表示制御方法は、複数の映像を所定の表示装置の画面の全表示領域を分割した複数の小画面領域にそれぞれ表示するための合成映像信号を出力する表示制御方法であって、複数の映像音声信号を発生する信号発生ステップと、各信号発生ステップにおいて発生された各映像音声信号に基づいて、各映像音声信号の映像信号に対応する映像が各小画面領域にそれぞれ分割表示される合成映像信号を生成する合成映像信号生成ステップと、合成映像信号生成ステップにおいて生成された合成映像信号が表示装置に表示されたとき、表示装置の画面の各小画面領域に表示された各映像のうちの所定のものを選択する選択ステップと、選択ステップにおいて選択された各映像のうちの所定のものに所定の識別マークを合成表示する合成表示ステップと、識別マークが合成表示された各映像のうちの所定のものに対応する映像音声信号を出力する出力ステップとを備えることを特徴とする。
請求項６に記載の表示制御プログラムは、複数の映像を所定の表示装置の画面の全表示領域を分割した複数の小画面領域にそれぞれ表示するための合成映像信号を出力する表示制御装置を制御する表示制御プログラムであって、複数の映像音声信号を発生する信号発生ステップと、各信号発生ステップにおいて発生された各映像音声信号に基づいて、各映像音声信号の映像信号に対応する映像が各小画面領域にそれぞれ分割表示される合成映像信号を生成する合成映像信号生成ステップと、合成映像信号生成ステップにおいて生成された合成映像信号が表示装置に表示されたとき、表示装置の画面の各小画面領域に表示された各映像のうちの所定のものを選択する選択ステップと、選択ステップにおいて選択された各映像のうちの所定のものに所定の識別マークを合成表示する合成表示ステップと、識別マークが合成表示された各映像のうちの所定のものに対応する映像音声信号を出力する出力ステップとを表示制御装置に実行させることを特徴とする。
【発明の効果】
【０００５】
本発明の表示制御装置によれば、いま視聴している映像およびその映像に対応する音声を途切れさせることなく、録画操作を行うことができる。
【発明を実施するための最良の形態】
【０００６】
図１は、本発明を応用したテレビジョン受像機の一実施の形態の構成例を示すブロック図である。同図に示すように、本実施の形態は、後述する各種チューナ等を有し、受信したチャンネルの映像音声信号や再生した映像音声信号を出力する信号発生部１１０と、信号発生部１１０より出力された各映像音声信号を入力端子１２１乃至１２５を介して入力し、入力した各映像音声信号を、スイッチ１２６乃至１２８を切り換えて所定の出力先に出力する信号切換部１２０と、信号切換部１２０の各スイッチ１２６乃至１２８より出力された各映像音声信号に基づいて、表示部１０４の画面に各映像信号に対応する各映像が分割表示されるような合成映像に対応する合成映像信号、およびユーザによって選択された所定の映像に対応する音声信号を出力する合成部１０３と、合成部１０３から出力された合成映像信号に対応する合成映像を表示する表示部１０４と、合成部１０３から出力された音声信号を出力するスピーカ１０５と、信号切換部１２０のスイッチ１２８より出力された映像音声信号を入力し、その映像音声信号を記録する記録部１０２と、各部を制御する図示しないＣＰＵ（Central Processing
Unit）やメモリ等からなるマイコン（マイクロコンピュータ）１０１と、後述する音符マーク２１１、録画画面マーク２１２、および録画マーク２１３に対応するビットマップイメージデータ等を記憶するＲＯＭ１０７と、各種データやコマンドを入力するための操作部１０６等により構成されている。
【０００７】
信号発生部１１０は、地上アナログ放送の受信信号から所定のチャンネルを選局し、選局したチャンネルの映像音声信号を出力する地上アナログチューナ１１１と、地上デジタル放送の受信信号から所定のチャンネルを選局し、選局したチャンネルの映像音声信号を出力する地上デジタルチューナ１１２と、ＢＳデジタル放送の受信信号から所定のチャンネルを選局し、選局したチャンネルの映像音声信号を出力するＢＳデジタルチューナ１１３と、テレビジョン受像機１００に接続され、再生された映像音声信号を出力するＤＶＤ（Digital
Versatile Disc）プレーヤやＨＤＤ（Hard Disc Drive）プレーヤ等からなる外部機器１１４と、再生した映像音声信号を出力するテレビジョン受像機１００に内蔵されている、例えば、内蔵ＤＶＤ、内蔵ＨＤＤ等の信号再生部１１５等から構成されている。
【０００８】
信号切換部１２０は、信号発生部１１０を構成する地上アナログチューナ１１１から出力された映像音声信号を入力端子１２１を介して入力し、スイッチ１２６乃至１２８に供給するようになっている。
【０００９】
また、信号切換部１２０は、信号発生部１１０を構成する地上デジタルチューナ１１２から出力された映像音声信号を入力端子１２２を介して入力し、スイッチ１２６乃至１２８に供給するようになっている。
【００１０】
また、信号切換部１２０は、信号発生部１１０を構成するＢＳデジタルチューナ１１３から出力された映像音声信号を入力端子１２３を介して入力し、スイッチ１２６乃至１２８に供給するようになっている。
【００１１】
また、信号切換部１２０は、信号発生部１１０を構成する外部機器１１４から出力された映像音声信号を入力端子１２４を介して入力し、スイッチ１２６乃至１２８に供給するようになっている。また、信号切換部１２０は、信号発生部１１０を構成する信号再生部１１５から出力された映像音声信号を入力端子１２５を介して入力し、スイッチ１２６乃至１２８に供給するようになっている。
【００１２】
信号切換部１２０のスイッチ１２６は、マイコン１０１の制御により、信号発生部１１０より入力端子１２１乃至１２５のいずれかを介して入力され、スイッチ１２６に供給された各映像音声信号から所定の映像音声信号を選択し、選択した映像音声信号を合成部１０３に供給するようになっている。
【００１３】
信号切換部１２０のスイッチ１２７は、マイコン１０１の制御により、信号発生部１１０より入力端子１２１乃至１２５のいずれかを介して入力され、スイッチ１２７に供給された各映像音声信号から所定の映像音声信号を選択し、選択した映像音声信号を合成部１０３に供給するようになっている。
【００１４】
信号切換部１２０のスイッチ１２８は、マイコン１０１の制御により、信号発生部１１０より入力端子１２１乃至１２５のいずれかを介して入力され、スイッチ１２８に供給された各映像音声信号から所定の映像音声信号を選択し、選択した映像音声信号を記録部１０２および合成部１０３にそれぞれ供給するようになっている。
【００１５】
図２は、画面に複数の入力ソースからの映像を表示し、その中から所望の映像を選択し、その映像に対応する映像音声信号の記録を実行するときのテレビジョン受像機１００の表示部１０４の画面表示例を示している。図２（ａ）に示した表示例では、画面の左側の表示領域に地上アナログ放送の選局された所定のチャンネルの映像と音符マーク２１１および録画画面マーク２１２が合成された合成映像が表示され、画面右上の表示領域にＢＳデジタル放送の選局された所定のチャンネルの映像が表示され、画面右下の表示領域に地上デジタル放送の選局された所定のチャンネルの映像が表示されている。
【００１６】
音符マーク２１１が合成表示されている映像は、その映像に対応する音声がスピーカ１０５から出力されていることを表している。また、録画画面マーク２１２は、いま、ユーザが操作部１０６の図示しない録画実行キー、または、図示しないリモートコントローラ（リモコン）に設けられた録画実行キーを操作すると、マイコン１０１の制御により、この録画画面マーク２１２が合成表示されている映像およびその映像に対応する音声からなる映像音声信号が記録部１０２に供給されるように信号切換部１２０のスイッチ１２８の接続が切り換えられ、その映像音声信号が記録部１０２によって記録されることを表している。その場合、後述するように、録画対象となる映像上に録画マーク２１３が合成表示される。
【００１７】
いま、表示部１０４の画面に、図２（ａ）に示したような合成映像が表示がされている状態で、ユーザが操作部１０６の録画画面選択キー、または、図示しないリモートコントローラ（リモコン）に設けられた録画画面選択キーを操作すると、マイコン１０１の制御により、画面左側の映像上に合成表示されていた録画画面マーク２１２が消去され、図２（ｂ）に示したように、画面右上の映像上に録画画面マーク２１２が合成表示される。
【００１８】
図２（ｂ）に示したように、画面右上の映像上に録画画面マーク２１２が表示されている状態で、さらに、録画画面選択キーが操作されると、マイコン１０１の制御により、画面右上の映像上に合成表示されていた録画画面マーク２１２が消去され、図２（ｃ）に示したように、画面右下の映像上に録画画面マーク２１２が合成表示される。
【００１９】
図２（ｃ）に示したように、画面右下の映像に録画画面マーク２１２が表示されている状態で、ユーザにより操作部１０６の図示しない録画実行キー、または、図示しないリモコンに設けられた録画実行キーが操作されると、マイコン１０１の制御により、画面右下の映像上に合成表示されていた録画画面マーク２１２が消去され、図２（ｄ）に示したように、録画中であることを表す録画マーク２１３が画面右下の映像上に合成表示される。
【００２０】
即ち、録画実行キーが操作されると、マイコン１０１の制御により、録画画面マーク２１２が合成表示されていた映像およびその映像に対応する音声からなる映像音声信号が記録部１０２に供給されるようにスイッチ１２８の接続が切り換えられ、その映像音声信号が記録部１０２によって記録される。
【００２１】
次に、図３のフローチャートを参照して、本実施の形態の処理手順について詳細に説明する。まず、ステップＳ１において、マイコン１０１により、ユーザによって操作部１０６または図示しないリモコンの所定のキーが操作され、状態表示が指示されたか否かが判定される。その結果、状態表示が指示されていないと判定された場合、ステップＳ１の処理が繰り返し実行される。
【００２２】
一方、状態表示が指示されたと判定された場合、ステップＳ２に進み、マイコン１０１は、いま視聴している番組の映像に音符マーク２１１を合成表示する。即ち、ＲＯＭ１０７に記憶されている音符マーク２１１のビットマップイメージデータを読み出し、合成部１０３に供給するとともに、この音符マーク２１１を信号切換部１２０のスイッチ１２６より供給される映像音声信号に対応する映像に重ね合わせた合成映像を生成するよう指令する。
【００２３】
次に、ステップＳ２において、マイコン１０１からの指令を受けた合成部１０３は、いま視聴している映像（スピーカより出力されている音声に対応する映像）に音符マーク２１１を合成した合成映像を生成し、その合成映像に対応する合成映像信号を表示部１０４に供給する。これにより、いま視聴している映像上に音符マーク２１１が合成表示される。
【００２４】
次に、ステップＳ３において、マイコン１０１により、現在録画中であるか否かが判定される。その結果、録画中であると判定された場合、ステップＳ４に進み、録画中であることを示す録画マーク２１３が録画対象となっている映像上に合成表示される。例えば、図２（ｄ）に示したように、画面右下の映像に対応する映像音声信号が録画されている場合、その映像上に録画マーク２１３が合成表示される。
【００２５】
一方、現在録画中ではないと判定された場合、ステップＳ５に進み、いま視聴している映像上に録画画面マーク２１２が合成表示される。例えば、図２（ａ）に示したように、いま視聴している映像が画面左側に表示されている場合、画面左側に表示されている映像上に録画画面マーク２１２が合成表示される。
【００２６】
ステップＳ４またはステップＳ５の処理が終了すると、ステップＳ６に進む。ステップＳ６においては、マイコン１０１により、操作部１０６または図示しないリモコンの録画画面選択キーが操作されたか否かが判定される。その結果、録画画面選択キーが操作されていないと判定された場合、ステップＳ８に進む。
【００２７】
一方、録画画面選択キーが操作されたと判定された場合、ステップＳ７に進む。ステップＳ７においては、マイコン１０１の制御下、録画画面マーク２１２が次の映像上に移動する。即ち、いま、所定の映像上に表示されている録画画面マーク２１２が消去され、次の映像上に録画画面マーク２１２が合成表示される。次に、ステップＳ８において、マイコン１０１により、操作部１０６またはリモコンの録画実行キーが操作されたか否かが判定される。その結果、録画実行キーが操作されていないと判定された場合、ステップＳ１０に進む。一方、録画実行キーが操作されたと判定された場合、ステップＳ９に進む。
【００２８】
ステップＳ９においては、マイコン１０１の制御下、録画画面マーク２１２が合成表示されている映像および音声からなる映像音声信号が記録部１０２に供給されるように、スイッチ１２８の接続が切り換えられ、記録部１０２にその映像音声信号が供給される。マイコン１０１は、記録部１０２に対してスイッチ１２８より供給された映像音声信号を記録するよう指令する。この指令を受けた記録部１０２は、スイッチ１２８を介して供給された映像音声信号を記録する。
【００２９】
次に、ステップＳ１０において、マイコン１０１により、ユーザによって図示しない電源スイッチが操作され、電源がオフされたか否かが判定される。その結果、電源がオフされていないと判定された場合、ステップＳ２に戻り、ステップＳ２以降の処理が繰り返し実行される。一方、電源がオフされたと判定された場合、本処理を終了する。なお、表示部１０４の画面に表示された音符マーク２１１、録画画面マーク２１２、および録画マーク２１３は、それぞれ画面に表示されてから所定の時間が経過した後、画面から消去させるようにすることができる。或いは、ユーザによって操作部１０６またはリモコンの所定のキーが操作され、状態表示の消去が指示されるまで表示し続けるようにすることもできる。
【００３０】
上記実施の形態において、操作部１０６またはリモコンの所定のキーを操作することにより、いま視聴している映像上に合成表示された音符マーク２１１を画面に表示されている他の映像上に合成表示させることができる。
【００３１】
即ち、マイコン１０１は、操作部１０６またはリモコンの操作に従って、音符マーク２１１に対応するビットマップイメージデータをＲＯＭ１０７から読み出して合成部１０３に供給し、音符マーク２１１を、この例では、例えば、画面左側の映像、画面右上の映像、画面右下の映像、画面左側の映像、・・・等の順で、次の映像上に合成表示させるように指令するとともに、音符マーク２１１が合成表示された次の映像に対応する音声信号をスピーカ１０５に出力するよう指令する。
【００３２】
この指令を受けた合成部１０３は、マイコン１０１からの指令に従って、音符マーク２１１を次の映像上に重ね合わせた合成映像を生成し、その合成映像信号を表示部１０４に供給するとともに、音符マーク２１１が合成表示された映像に対応する音声をスピーカ１０５に供給する。これにより、スピーカ１０５からは音符マーク２１１が合成表示されている映像に対応する音声が出力される。
【００３３】
次に、表示部１０４の画面に４つの映像を表示させる場合について説明する。図４は、表示部１０４の画面が４つの表示領域に分割され、各表示領域に異なる入力ソースからの映像が表示された表示例を示している。この例では、画面左側に地上アナログ放送のチャンネル８の映像が表示され、画面右上段にチャンネル４の映像が表示され、画面右中段にチャンネル６の映像が表示され、画面右下段にチャンネル１０の映像が表示されている。
【００３４】
図４に示したように、地上アナログ放送の４つのチャンネルの映像を同一画面を分割して表示する場合、例えば、図１において、図示しない地上アナログチューナをさらに設けるようにし、視聴画面である画面左の映像は地上アナログチューナ１１１によって選局されたチャンネル８の映像を表示し、新たに設けた図示しない地上アナログチューナがチャンネル４、チャンネル６、チャンネル１０をそれぞれ所定の時間間隔で順番に繰り返し選局し、選局した各チャンネルの映像を、画面右側の上段、中段、下段の対応するものにそれぞれに表示するようにすればよい。
【００３５】
図４（ａ）に示したように、最初、画面左側に地上アナログ放送のチャンネル８の映像が表示され、その映像に音符マーク２１１と録画画面マーク２１２とが合成表示されている。
【００３６】
図４（ａ）に示したように、画面左側の映像上に録画画面マーク２１２が合成表示されている状態で、操作部１０６の録画画面選択キー、または、リモコンの録画画面選択キーが操作されると、マイコン１０１の制御により、画面左側の映像上に合成表示されていた録画画面マーク２１２が消去され、図４（ｂ）に示したように、画面右側の上段の映像上に録画画面マーク２１２が合成表示される。
【００３７】
図４（ｂ）に示したように、画面右側の上段の映像上に録画画面マーク２１２が表示されている状態で、さらに、録画画面選択キーが操作されると、マイコン１０１の制御により、画面右側の上段の映像上に合成表示されていた録画画面マーク２１２が消去され、図４（ｃ）に示したように、画面右側の中段の映像上に録画画面マーク２１２が合成表示される。
【００３８】
図４（ｃ）に示したように、画面右側の中段の映像上に録画画面マーク２１２が表示されている状態で、録画実行キーが操作されると、マイコン１０１の制御により、画面右側の中段の映像上に合成表示されていた録画画面マーク２１２が消去され、図４（ｄ）に示したように、画面右側の中段の映像上に録画中であることを表す録画マーク２１３が合成表示される。
【００３９】
即ち、録画実行キーが操作されると、マイコン１０１の制御により、録画画面マーク２１２が合成表示されていた映像およびその映像に対応する音声からなる映像音声信号が記録部１０２に供給されるようにスイッチ１２８の接続が切り換えられ、その映像音声信号が記録部１０２によって記録される。
【００４０】
以上説明したように、本実施の形態においては、いま視聴している映像をそのまま表示し続けるとともに、その映像に対応する音声を出力したままで、画面上に表示された他の映像を選択してその映像に対応する映像音声信号を記録させることができる。従って、録画し忘れていた場合や、野球の放送時間が延長されたために見たい番組の放送時間が重なってしまった場合でも、いま視聴している番組をそのまま視聴し続けながら、録画し忘れていた番組、または、放送時間が重なってしまった番組の録画を簡単に行うことができ、見たい番組を見逃すことがないようにすることができる。
【００４１】
図５は、本発明を応用した他の実施の形態としてのテレビジョン受像機２００の構成例を示すブロック図である。本実施の形態では、図１の実施の形態において、記録部１０２に代えて、外部出力端子２０１を設けるようにしている。その他の構成は図１に示した実施の形態の場合と同様であるので、同一構成要素には同一符号を付し、同一の構成および動作の説明については省略する。
【００４２】
外部出力端子２０１に供給された映像音声信号は、外部出力端子２０１に接続された外部の機器に出力される。この外部の機器は、例えば、ビデオテープレコーダや、ハードディスクレコーダ、あるいはＤＶＤレコーダ等の記録装置とすることができる。あるいは、外部機器１１４とすることもできる。これにより、外部出力端子２０１から出力された映像音声信号を外部出力端子２０１に接続された各種記録装置に記録することができる。
【００４３】
なお、上記実施の形態の構成および動作は例であって、本発明の趣旨を逸脱しない範囲で適宜変更することができることは言うまでもない。また、上記実施の形態における画面表示レイアウトおよび各種マークの形状等は例であってこれらに限定されるものではない。
【産業上の利用可能性】
【００４４】
本発明の活用例として、例えば、テレビジョン受像機だけでなく、ビデオテープレコーダ、ハードディスクレコーダ、あるいはＤＶＤレコーダ等のように、所望の映像および音声を選択して記録することができる機器にも本発明を適用することができる。
【図面の簡単な説明】
【００４５】
【図１】本発明を応用したテレビジョン受像機の一実施の形態の構成例を示すブロック図である。
【図２】画面に複数の入力ソースからの映像を表示し、その中から所望の映像を選択し、その映像に対応する映像音声信号の記録を実行するときのテレビジョン受像機の表示部の画面表示例を示す図である。
【図３】本実施の形態の処理手順を説明するためのフローチャートである。
【図４】表示部の画面の各表示領域に４つの異なる入力ソースからの映像が表示され、選択された所望の映像および音声の記録を開始するときの画面表示例を示す図である。
【図５】本発明を応用したテレビジョン受像機の他の実施の形態の構成例を示すブロック図である。
【図６】画面に表示された複数の映像から所望の映像を選択し、その映像に対応する映像音声信号を記録するときのテレビジョン受像機の従来の画面表示例を示す図である。
【符号の説明】
【００４６】
１００，２００  テレビジョン受像機
１０１  マイコン
１０２  記録部
１０３  合成部
１０４  表示部
１０５  スピーカ
１０６  操作部
１０７  ＲＯＭ
１１０  信号発生部
１１１  地上アナログチューナ
１１２  地上デジタルチューナ
１１３  ＢＳデジタルチューナ
１１４  外部機器
１１５  信号再生部
１２０  信号切換部
１２１乃至１２５  入力端子
１２６乃至１２８  スイッチ
２０１  外部出力端子
２１１  音符マーク
２１２  録画画面マーク
２１３  録画マーク
【図１】
2007053418.tif 000003
【図２】
2007053418.tif 000004
【図３】
2007053418.tif 000005
【図４】
2007053418.tif 000006
【図５】
2007053418.tif 000007
【図６】
2007053418.tif 000008